【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
高効率ビデオコード化（ＨＥＶＣ）規格及び前記規格の拡張の少なくとも一方に従って、ビデオデータを復号する方法であって、ここにおいて、前記ビデオデータは、ビットストリームを含み、前記方法は、
前記ビデオデータを含むビットストリームのビットストリームパーティション初期到着時間補足強化情報（ＳＥＩ）メッセージのネットワーク抽象化レイヤ（ＮＡＬ）初期到着遅延シンタックス要素を復号すべきかどうかを、ＮＡＬ仮想参照デコーダ（ＨＲＤ）パラメータが前記ビットストリーム中でコード化されるかどうかに基づいて決定することと、
前記ＮＡＬ初期到着遅延シンタックス要素を復号すると決定したことに応答して、前記ＮＡＬ初期到着遅延シンタックス要素を復号することと、
前記ＮＡＬ初期到着遅延シンタックス要素を復号すべきかどうかとは関係なく、前記ビデオデータを含む前記ビットストリームの前記ビットストリームパーティション初期到着時間ＳＥＩメッセージのビデオコード化レイヤ（ＶＣＬ）初期到着遅延シンタックス要素を復号すべきかどうかを、ＶＣＬ  ＨＲＤパラメータが前記ビットストリーム中でコード化されるかどうかに基づいて決定することと、
前記ＶＣＬ初期到着遅延シンタックス要素をコード化すると決定したことに応答して、前記ＶＣＬ初期到着遅延シンタックス要素を復号することと
を備える方法。
【請求項２】
高効率ビデオコード化（ＨＥＶＣ）規格及び前記規格の拡張に従って、ビデオデータを符号化する方法であって、ここにおいて、前記ビデオデータは、ビットストリームを含み、前記方法は、
前記ビデオデータを含むビットストリームのビットストリームパーティション初期到着時間補足強化情報（ＳＥＩ）メッセージのネットワーク抽象化レイヤ（ＮＡＬ）初期到着遅延シンタックス要素を符号化すべきかどうかを、ＮＡＬ仮想参照デコーダ（ＨＲＤ）パラメータが前記ビットストリーム中でコード化されるかどうかに基づいて決定することと、
前記ＮＡＬ初期到着遅延シンタックス要素を符号化すると決定したことに応答して、前記ＮＡＬ初期到着遅延シンタックス要素を復号することと、
前記ＮＡＬ初期到着遅延シンタックス要素を符号化すべきかどうかとは関係なく、前記ビデオデータを含む前記ビットストリームの前記ビットストリームパーティション初期到着時間ＳＥＩメッセージのビデオコード化レイヤ（ＶＣＬ）初期到着遅延シンタックス要素を符号化すべきかどうかを、ＶＣＬ  ＨＲＤパラメータが前記ビットストリーム中でコード化されるかどうかに基づいて決定することと、
前記ＶＣＬ初期到着遅延シンタックス要素をコード化すると決定したことに応答して、前記ＶＣＬ初期到着遅延シンタックス要素を符号化することと
を備える方法。
【請求項３】
前記ＶＣＬ初期到着遅延シンタックス要素を復号すべきかどうかを決定することは、前記ＶＣＬ  ＨＲＤパラメータが前記ビットストリーム中でコード化されるとき、前記ＶＣＬ初期到着遅延シンタックス要素を復号すると決定することを備える、請求項１に記載の方法、又は
前記ＶＣＬ初期到着遅延シンタックス要素を符号化すべきかどうかを決定することは、前記ＶＣＬ  ＨＲＤパラメータが前記ビットストリーム中でコード化されるとき、前記ＶＣＬ初期到着遅延シンタックス要素を符号化すると決定することを備える、請求項２に記載の方法。
【請求項４】
前記ＶＣＬ初期到着遅延シンタックス要素を復号すべきかどうかを決定することは、ＶＣＬ  ＨＲＤ動作のためのバッファリング期間情報が前記ビットストリーム中で必要とされると決定されたとき、前記ＶＣＬ初期到着遅延シンタックス要素を復号すると決定することを備える、請求項１、又は請求項１に従属する請求項３に記載の方法、又は
前記ＶＣＬ初期到着遅延シンタックス要素を符号化すべきかどうかを決定することは、ＶＣＬ  ＨＲＤ動作のためのバッファリング期間情報が前記ビットストリーム中で必要とされると決定されたとき、前記ＶＣＬ初期到着遅延シンタックス要素を符号化すると決定することを備える、請求項２、又は請求項２に従属する請求項３に記載の方法。
【請求項５】
前記ＶＣＬ初期到着遅延シンタックス要素を復号すべきかどうかを決定することは、前記ＶＣＬ  ＨＲＤパラメータが前記ビットストリーム中でコード化されないとき、及びＶＣＬ  ＨＲＤ動作が前記ビットストリーム中で必要とされないと決定されたとき、前記ＶＣＬ初期到着遅延シンタックス要素を復号しないと決定することを備える、請求項１に記載の方法、又は
前記ＶＣＬ初期到着遅延シンタックス要素を符号化すべきかどうかを決定することは、前記ＶＣＬ  ＨＲＤパラメータが前記ビットストリーム中でコード化されないとき、及びＶＣＬ  ＨＲＤ動作が前記ビットストリーム中で必要とされないと決定されたとき、前記ＶＣＬ初期到着遅延シンタックス要素を符号化しないと決定することを備える、請求項２に記載の方法。
【請求項６】
前記ＶＣＬ初期到着遅延シンタックス要素を復号すべきかどうかを決定することは、前記ビットストリームのためのＶｃｌＨｒｄＢｐＰｒｅｓｅｎｔＦｌａｇが真の値を有すると決定したことのみに応答して、前記ＶＣＬ初期到着遅延シンタックス要素を復号すると決定することを備える、請求項１に記載の方法、又は
前記ＶＣＬ初期到着遅延シンタックス要素を符号化すべきかどうかを決定することは、前記ビットストリームのためのＶｃｌＨｒｄＢｐＰｒｅｓｅｎｔＦｌａｇが真の値を有すると決定したことのみに応答して、前記ＶＣＬ初期到着遅延シンタックス要素を符号化すると決定することを備える、請求項２に記載の方法。
【請求項７】
前記方法が、ワイヤレス通信機器上で実行可能であり、ここにおいて、前記機器が、
前記ビットストリームパーティション初期到着時間ＳＥＩメッセージを記憶するように構成されたメモリと、
前記メモリに記憶された前記ビットストリームパーティション初期到着時間ＳＥＩメッセージを処理するための命令を実行するように構成されたプロセッサと、
前記ビットストリームと前記ビットストリームパーティション初期到着時間ＳＥＩメッセージとを含む信号を受信するための受信機と
を備える、請求項１に記載の方法。
【請求項８】
前記ワイヤレス通信機器がセルラー電話であり、前記信号が、前記受信機によって受信され、セルラー通信規格に従って変調される、請求項７に記載の方法。
【請求項９】
高効率ビデオコード化（ＨＥＶＣ）規格及び前記規格の拡張の少なくとも一方に従って、ビデオデータを復号するための機器であって、ここにおいて、前記ビデオデータは、ビットストリームを含み、前記機器が、
前記ビデオデータを含むビットストリームのデータを記憶するためのメモリと、
ビデオコーダと
を備え、前記ビデオコーダは、
前記ビットストリームのビットストリームパーティション初期到着時間補足強化情報（ＳＥＩ）メッセージのネットワーク抽象化レイヤ（ＮＡＬ）初期到着遅延シンタックス要素を復号すべきかどうかを、ＮＡＬ仮想参照デコーダ（ＨＲＤ）パラメータが前記ビットストリーム中でコード化されるかどうかに基づいて決定することと、
前記ＮＡＬ初期到着遅延シンタックス要素を復号すると決定したことに応答して、前記ＮＡＬ初期到着遅延シンタックス要素を復号することと、
前記ＮＡＬ初期到着遅延シンタックス要素を復号すべきかどうかとは関係なく、前記ビットストリームの前記ビットストリームパーティション初期到着時間ＳＥＩメッセージのビデオコード化レイヤ（ＶＣＬ）初期到着遅延シンタックス要素を復号すべきかどうかを、ＶＣＬ  ＨＲＤパラメータが前記ビットストリーム中でコード化されるかどうかに基づいて決定することと、
前記ＶＣＬ初期到着遅延シンタックス要素をコード化すると決定したことに応答して、前記ＶＣＬ初期到着遅延シンタックス要素を復号することと
を行うように構成された、機器。
【請求項１０】
高効率ビデオコード化（ＨＥＶＣ）規格及び前記規格の拡張の少なくとも一方に従って、ビデオデータを符号化するための機器であって、ここにおいて、前記ビデオデータは、ビットストリームを含み、前記機器が、
前記ビデオデータを含むビットストリームのデータを記憶するためのメモリと、
ビデオコーダと
を備え、前記ビデオコーダは、
前記ビットストリームのビットストリームパーティション初期到着時間補足強化情報（ＳＥＩ）メッセージのネットワーク抽象化レイヤ（ＮＡＬ）初期到着遅延シンタックス要素を符号化すべきかどうかを、ＮＡＬ仮想参照デコーダ（ＨＲＤ）パラメータが前記ビットストリーム中でコード化されるかどうかに基づいて決定することと、
前記ＮＡＬ初期到着遅延シンタックス要素を復号すると決定したことに応答して、前記ＮＡＬ初期到着遅延シンタックス要素を符号化することと、
前記ＮＡＬ初期到着遅延シンタックス要素を符号化すべきかどうかとは関係なく、前記ビットストリームの前記ビットストリームパーティション初期到着時間ＳＥＩメッセージのビデオコード化レイヤ（ＶＣＬ）初期到着遅延シンタックス要素を符号化すべきかどうかを、ＶＣＬ  ＨＲＤパラメータが前記ビットストリーム中でコード化されるかどうかに基づいて決定することと、
前記ＶＣＬ初期到着遅延シンタックス要素をコード化すると決定したことに応答して、前記ＶＣＬ初期到着遅延シンタックス要素を符号化することと
を行うように構成された、機器。
【請求項１１】
前記機器がワイヤレス通信機器であり、前記ビットストリームと前記ＳＥＩメッセージとを含む信号を受信するように構成された受信機を更に備える、請求項９に記載の機器。
【請求項１２】
前記ワイヤレス通信機器がセルラー電話であり、前記信号が、前記受信機によって受信され、セルラー通信規格に従って変調される、請求項１１に記載の機器。
【請求項１３】
実行されたとき、プロセッサに、請求項１乃至８のいずれかに記載の方法を行わせる命令を記憶したコンピュータ可読記憶媒体。